【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
評価の対象となりうる複数の単位内または単位間で伝達される情報を示す伝達情報データを記憶する伝達情報記憶手段と、
前記記録された伝達情報データを分析して、前記複数の単位の内、評価の対象とされた評価対象単位が他の単位に与える影響を評価する評価手段と
を有する評価装置。
【請求項２】
前記伝達情報データは、
前記伝達された情報の内容を示す内容データ
を少なくとも含み、
前記伝達情報記憶手段は、
前記伝達情報データの内容を示す内容データを少なくとも記憶し、
前記評価手段は、
前記記憶された評価対象単位の中の情報の内容データに基づいて、前記評価対象単位の属性を抽出し、
前記他の単位において発信または受信される情報の内容データが示す概念を抽出し、
前記抽出された評価対象単位の属性と、前記抽出された内容データが示す概念とに基づいて、前記評価対象単位が他の単位に与えた概念の影響を評価する
請求項１に記載の評価装置。
【請求項３】
前記抽出された評価対象単位の属性と、前記他の単位において発信または受信される情報の内容データとに基づいて、前記他の単位による前記評価対象単位の活用の度合いを分析する活用分析手段
をさらに有する請求項２に記載の評価装置。
【請求項４】
前記評価対象単位が他の単位に与える概念の影響の変化を分析する変化分析手段
をさらに有する請求項２または３に記載の評価装置。
【請求項５】
前記情報として少なくとも電子メールが伝達され、
前記伝達情報データは、
前記電子メールを発信した単位を示す発信単位データと、
前記電子メールを受信した単位を示す受信単位データと、
前記電子メールの内容を示す内容データと
を少なくとも含み、
前記評価手段は、
前記評価対象単位から発信されて伝達される電子メールの内容データを分析し、前記評価対象単位の属性を抽出し、
前記他の単位において発信または受信される電子メールそれぞれの内容データが示す概念を抽出し、
前記抽出された評価対象単位の属性と、前記抽出された電子メールそれぞれの内容データが示す概念とに基づいて、前記評価対象単位と前記電子メールそれぞれとの関係を分析し、
前記評価対象単位と前記電子メールそれぞれとの関係の分析結果に基づいて、前記評価対象単位が他の単位に与えた概念の影響を評価する
請求項２〜４のいずれかに記載の評価装置。
【請求項６】
前記評価手段は、
前記評価対象単位から発信されて伝達される電子メールの内容データに含まれる単語およびその概念またはこれらのいずれかに基づいて、前記評価対象単位の属性を抽出し、
前記他の単位において発信または受信される電子メールの内容データに含まれる単語およびその概念またはこれらのいずれかに基づいて、前記電子メールそれぞれの属性を抽出する
請求項５に記載の評価装置。
【請求項７】
前記単位は、それぞれ１以上の構成要素を含む組織である
請求項１〜６のいずれかに記載の評価装置。
【請求項８】
評価の対象となりうる複数の単位内または単位間で伝達される情報を示す伝達情報データを記憶し、
前記記録された伝達情報データを分析して、前記複数の単位の内、評価の対象とされた評価対象単位が他の単位に与える影響を評価する
評価方法。
【請求項９】
前記伝達情報データは、
前記伝達された情報の内容を示す内容データ
を少なくとも含み、
前記伝達情報データの内容を示す内容データを少なくとも記憶し、
前記記憶された評価対象単位の中の情報の内容データに基づいて、前記評価対象単位の属性を抽出し、
前記他の単位において発信または受信される情報の内容データが示す概念を抽出し、
前記抽出された評価対象単位の属性と、前記抽出された内容データが示す概念とに基づいて、前記評価対象単位が他の単位に与えた概念の影響を評価する
請求項８に記載の評価方法。
【請求項１０】
前記抽出された評価対象単位の属性と、前記他の単位において発信または受信される情報の内容データとに基づいて、前記他の単位による前記評価対象単位の活用の度合いをさらに分析する
請求項９に記載の評価方法。
【請求項１１】
前記評価対象単位が他の単位に与える影響の変化をさらに分析する
請求項９または１０に記載の評価方法。
【請求項１２】
前記情報として少なくとも電子メールが伝達され、
前記伝達情報データは、
前記電子メールを発信した単位を示す発信単位データと、
前記電子メールを受信した単位を示す受信単位データと、
前記電子メールの内容を示す内容データと
を少なくとも含み、
前記評価対象単位から発信されて伝達される電子メールの内容データを分析し、前記評価対象単位の属性を抽出し、
前記他の単位において発信または受信される電子メールそれぞれの内容データが示す概念を抽出し、
前記抽出された評価対象単位の属性と、前記抽出された電子メールそれぞれの内容データが示す概念とに基づいて、前記評価対象単位と前記電子メールそれぞれとの関係を分析し、
前記評価対象単位と前記電子メールそれぞれとの関係の分析結果に基づいて、前記評価対象単位が他の単位に与えた概念の影響を評価する
請求項９〜１１のいずれかに記載の評価方法。
【請求項１３】
前記評価対象単位から発信されて伝達される電子メールの内容データに含まれる単語およびその概念またはこれらのいずれかに基づいて、前記評価対象単位の属性を抽出し、
前記他の単位において発信または受信される電子メールの内容データに含まれる単語およびその概念またはこれらのいずれかに基づいて、前記電子メールそれぞれの属性を抽出する
請求項１２に記載の評価方法。
【請求項１４】
前記単位は、それぞれ１以上の構成要素を含む組織である
請求項８〜１３のいずれかに記載の評価方法。
【請求項１５】
評価の対象となりうる複数の単位内または単位間で伝達される情報を示す伝達情報データを記憶するステップと、
前記記録された伝達情報データを分析して、前記複数の単位の内、評価の対象とされた評価対象単位が他の単位に与える影響を評価するステップと
をコンピュータに実行させるプログラム。
【請求項１６】
前記伝達情報データは、
前記伝達された情報の内容を示す内容データ
を少なくとも含み、
伝達情報データを記憶するステップにおいて、前記伝達情報データの内容を示す内容データを少なくとも記憶し、
前記影響を評価するステップにおいて、
前記記憶された評価対象単位の中の情報の内容データに基づいて、前記評価対象単位の属性を抽出し、
前記他の単位において発信または受信される情報の内容データが示す概念を抽出し、
前記抽出された評価対象単位の属性と、前記抽出された内容データが示す概念とに基づいて、前記評価対象単位が他の単位に与えた概念の影響を評価する
請求項１５に記載のプログラム。
【請求項１７】
前記抽出された評価対象単位の属性と、前記他の単位において発信または受信される情報の内容データとに基づいて、前記他の単位による前記評価対象単位の活用の度合いを分析するステップ
をさらにコンピュータに実行させる請求項１６に記載のプログラム。
【請求項１８】
前記評価対象単位が他の単位に与える概念の影響の変化を分析するステップ
をさらにコンピュータに実行させる請求項１６または１７に記載のプログラム。
【請求項１９】
前記情報として少なくとも電子メールが伝達され、
前記伝達情報データは、
前記電子メールを発信した単位を示す発信単位データと、
前記電子メールを受信した単位を示す受信単位データと、
前記電子メールの内容を示す内容データと
を少なくとも含み、
前記影響を評価するステップにおいて、
前記評価対象単位から発信されて伝達される電子メールの内容データを分析し、前記評価対象単位の属性を抽出し、
前記他の単位において発信または受信される電子メールそれぞれの内容データが示す概念を抽出し、
前記抽出された評価対象単位の属性と、前記抽出された電子メールそれぞれの内容データが示す概念とに基づいて、前記評価対象単位と前記電子メールそれぞれとの関係を分析し、
前記評価対象単位と前記電子メールそれぞれとの関係の分析結果に基づいて、前記評価対象単位が他の単位に与えた概念の影響を評価する
請求項１６〜１８のいずれかに記載のプログラム。
【請求項２０】
前記影響を評価するステップにおいて、
前記評価対象単位から発信されて伝達される電子メールの内容データに含まれる単語およびその概念またはこれらのいずれかに基づいて、前記評価対象単位の属性を抽出し、
前記他の単位において発信または受信される電子メールの内容データに含まれる単語およびその概念またはこれらのいずれかに基づいて、前記電子メールそれぞれの属性を抽出する
請求項１９に記載のプログラム。
【請求項２１】
前記単位は、それぞれ１以上の構成要素を含む組織である
請求項１５〜２０のいずれかに記載のプログラム。